(57)【要約】【課題】  データ漏洩を防止し、安定した通信速度を確保可能な分電盤を提供する。【解決手段】  建物の屋内に配線されている既設の電源配線を電気信号の通信線として利用するＰＬＣホームネットワークにおいて電源配線に電源を分配して供給する分電盤１は、ネットワーク接続が不必要な電源配線に対して電気信号を通さない制御手段（データパス制御回路１１）を有している。【効果】  本発明は、分電盤１内部でデータの制御を行い、ネットワーク端末５１，５２が接続されない電源に対してデータを通さないことで、データ漏洩を防止することを可能としている。【選択図】      図１
2009004928.tif 000002
【特許請求の範囲】
【請求項１】
建物の屋内に配線されている既設の電源配線を電気信号の通信線として利用するＰＬＣ（Ｐｏｗｅｒ  Ｌｉｎｅ  Ｃｏｍｍｕｎｉｃａｔｉｏｎｓ）ホームネットワークにおいて前記電源配線に電源を分配して供給する分電盤であって、
ネットワーク接続が不必要な電源配線に対して前記電気信号を通さない制御手段を有することを特徴とする分電盤。
【請求項２】
前記ＰＬＣホームネットワークは、前記電源に前記電気信号を重畳する親機と、前記電源と前記電気信号とを終端してネットワーク端末に送信する子機とを含み、
前記制御手段は、前記子機が接続された電源配線にのみ前記電気信号を通すことを特徴とする請求項１記載の分電盤。
【請求項３】
前記ネットワーク接続が必要な電源配線の情報及び前記ネットワーク接続が不必要な電源の情報のうちの少なくとも一方を保持するメモリを含み、
前記制御手段は、前記メモリに保持された情報を基に前記ネットワーク接続が不必要な電源配線を判別することを特徴とする請求項１または請求項２記載の分電盤。
【請求項４】
前記電源を通しかつ前記電気信号を遮断するフィルタ手段と、前記フィルタ手段を通る電源経路と前記フィルタ手段を通らない電源経路とのいずれかを選択するスイッチ手段とを前記電源配線に対応して設け、
前記制御手段は、前記スイッチ手段を制御して前記ネットワーク接続が不必要な電源配線に対して前記電気信号を通さないようにすることを特徴とする請求項１から請求項３のいずれか記載の分電盤。
【請求項５】
前記電源と前記電気信号とを重畳して出力するフィルタ手段を前記電源配線に対応して設け、
前記制御手段は、前記フィルタ手段を制御して前記ネットワーク接続が不必要な電源配線に対して前記電気信号を通さないようにすることを特徴とする請求項１から請求項３のいずれか記載の分電盤。
【請求項６】
請求項１から請求項５のいずれか記載の分電盤を含むことを特徴とするＰＬＣホームネットワーク。
【請求項７】
建物の屋内に配線されている既設の電源配線を電気信号の通信線として利用するＰＬＣ（Ｐｏｗｅｒ  Ｌｉｎｅ  Ｃｏｍｍｕｎｉｃａｔｉｏｎｓ）ホームネットワークにおいて前記電源配線に電源を分配して供給する分電盤に用いるデータ分離方法であって、
前記分電盤において、制御手段にてネットワーク接続が不必要な電源配線に対して前記電気信号を通さないようにしたことを特徴とするデータ分離方法。
【請求項８】
前記ＰＬＣホームネットワークは、前記電源に前記電気信号を重畳する親機と、前記電源と前記電気信号とを終端してネットワーク端末に送信する子機とを含み、
前記制御手段が、前記子機が接続された電源配線にのみ前記電気信号を通すことを特徴とする請求項７記載のデータ分離方法。
【請求項９】
前記分電盤に、前記ネットワーク接続が必要な電源配線の情報及び前記ネットワーク接続が不必要な電源の情報のうちの少なくとも一方を保持するメモリを設け、
前記制御手段が、前記メモリに保持された情報を基に前記ネットワーク接続が不必要な電源配線を判別することを特徴とする請求項７または請求項８記載のデータ分離方法。
【請求項１０】
前記分電盤において、前記電源を通しかつ前記電気信号を遮断するフィルタ手段と、前記フィルタ手段を通る電源経路と前記フィルタ手段を通らない電源経路とのいずれかを選択するスイッチ手段とを前記電源配線に対応して設け、
前記制御手段が、前記スイッチ手段を制御して前記ネットワーク接続が不必要な電源配線に対して前記電気信号を通さないようにすることを特徴とする請求項７から請求項９のいずれか記載のデータ分離方法。
【請求項１１】
前記分電盤において、前記電源と前記電気信号とを重畳して出力するフィルタ手段を前記電源配線に対応して設け、
前記制御手段が、前記フィルタ手段を制御して前記ネットワーク接続が不必要な電源配線に対して前記電気信号を通さないようにすることを特徴とする請求項７から請求項９のいずれか記載のデータ分離方法。
【発明の詳細な説明】
【技術分野】
【０００１】
本発明は分電盤、ＰＬＣホームネットワーク及びそれらに用いるデータ分離方法に関し、特にＰＬＣ（Ｐｏｗｅｒ  Ｌｉｎｅ  Ｃｏｍｍｕｎｉｃａｔｉｏｎｓ：電力線通信）ホーム（Ｈｏｍｅ）ネットワークに用いられる分電盤に関する。
【背景技術】
【０００２】
ＰＬＣホームネットワークは、建物の屋内に配線されている既設の電力線（電灯線）を通信線として利用するネットワークである（例えば、特許文献１参照）。このＰＬＣホームネットワークの代表例を図７を参照して説明する。
【０００３】
図７において、ＰＬＣホームネットワークでは、屋外に敷設された光ファイバ網等のブロードバンド回線１０１を通して入力される電気信号（データ）が、屋内に設置されたＰＬＣモデム（親機）６で収容される。ＰＬＣモデム（親機）６は電源線（ＡＣ１００Ｖ）１０２に電気信号（データ）を重畳させ、屋内の分電盤７に渡す。分電盤７は電源を屋内コンセント２１〜２７及び屋外コンセント３に分配して供給する。
【０００４】
分電盤７で分配された電源及び電気信号（データ）はＰＬＣモデム（子機）４１で終端され、電気信号（データ）がＰＬＣモデム（子機）４１からネットワーク端末５１に送信される。
【０００５】
【特許文献１】特開２００６−１１５４８１号公報（段落「０００２」，「０００３」）
【発明の開示】
【発明が解決しようとする課題】
【０００６】
しかしながら、本発明に関連するＰＬＣホームネットワークでは、分配した全ての電源に電気信号（データ）が重畳された状態であるために、ネットワーク接続が不要な電源にも電気信号（データ）が重畳されているため、ネットワーク接続が必要な電源への反射によるノイズ発生による通信速度劣化等の可能性があるという課題がある。
【０００７】
また、本発明に関連するＰＬＣホームネットワークでは、ネットワーク接続が不要な電源にも電気信号（データ）が重畳されているため、電源配線間の干渉による通信速度劣化の可能性があるという課題がある。
【０００８】
さらに、本発明に関連するＰＬＣホームネットワークでは、ネットワーク接続が不要な電源にも電気信号（データ）が重畳されているため、データ漏洩の危険性があるという課題がある。
【０００９】
つまり、本発明に関連するＰＬＣホームネットワークでは、ネットワーク接続された電源以外にも電気信号（データ）が流れてしまっていることで、データ漏洩や反射によるノイズ発生による通信速度劣化等の可能性がある。
【００１０】
そこで、本発明の目的は上記の問題点を解消し、データ漏洩を防止することができ、安定した通信速度を確保することができる分電盤、ＰＬＣホームネットワーク及びそれらに用いるデータ分離方法を提供することにある。
【課題を解決するための手段】
【００１１】
本発明による分電盤は、建物の屋内に配線されている既設の電源配線を電気信号の通信線として利用するＰＬＣ（Ｐｏｗｅｒ  Ｌｉｎｅ  Ｃｏｍｍｕｎｉｃａｔｉｏｎｓ）ホームネットワークにおいて前記電源配線に電源を分配して供給する分電盤であって、
ネットワーク接続が不必要な電源配線に対して前記電気信号を通さない制御手段を備えている。
【００１２】
本発明によるＰＬＣホームネットワークは、上記の分電盤を含むことを特徴とする。
【００１３】
本発明によるデータ分離方法は、建物の屋内に配線されている既設の電源配線を電気信号の通信線として利用するＰＬＣ（Ｐｏｗｅｒ  Ｌｉｎｅ  Ｃｏｍｍｕｎｉｃａｔｉｏｎｓ）ホームネットワークにおいて前記電源配線に電源を分配して供給する分電盤に用いるデータ分離方法であって、
前記分電盤において、制御手段にてネットワーク接続が不必要な電源配線に対して前記電気信号を通さないようにしている。
【発明の効果】
【００１４】
本発明は、上記のような構成及び動作とすることで、データ漏洩を防止することができ、安定した通信速度を確保することができるという効果が得られる。
【発明を実施するための最良の形態】
【００１５】
次に、本発明の実施例について図面を参照して説明する。
【実施例１】
【００１６】
図１は本発明の第１の実施例による分電盤の構成を示すブロック図である。図１において、分電盤１はデータパス（Ｐａｔｈ）制御回路１１と、マンマシンインタフェース１２と、電源分配回路部１３と、分電盤回路部１４とから構成されている。
【００１７】
また、分電盤１はＰＬＣ（Ｐｏｗｅｒ  Ｌｉｎｅ  Ｃｏｍｍｕｎｉｃａｔｉｏｎｓ：電力線通信）モデム（子機）４１，４２を介してネットワーク端末５１，５２が接続された屋内コンセント２１，２４と、それら以外の屋内コンセント２２，２３及び屋外コンセント３に接続されている。尚、マンマシンインタフェース１２はユーザが設定等を行う際に用いるボタンやコントロールパネル等である。
【００１８】
本発明の第１の実施例によるＰＬＣホームネットワークは、分電盤７の代わりに上記の構成の分電盤１を配設した以外は図７に示す本発明に関連するＰＬＣホームネットワーク１００と同様の構成となっている。
【００１９】
図２は図１のデータパス制御回路１１の構成例を示すブロック図である。図２において、データパス制御回路１１は、制御部１１１と、メモリ部１１２と、スイッチ１２１〜１２５と、ＬＰＦ（Ｌｏｗ  Ｐａｔｈ  Ｆｉｌｔｅｒ）１３１〜１３５とから構成されている。
【００２０】
ＬＰＦ１３１〜１３５は１００Ｈｚ以上を通さない（１００Ｈｚ未満を通す）フィルタである。スイッチ１２１〜１２５は電源経路を選択する信号制御可能なスイッチである。制御部１１１は設定された情報を読出し、スイッチ１２１〜１２５のＯＦＦ／ＯＮ制御を行う。メモリ部１１２は設定情報を保存する。
【００２１】
図３は図２のスイッチ１２１及びＬＰＦ１３１の接続例を示すブロック図である。図３において、スイッチ１２１の端子ＳＷ１は電源分配回路部１３に接続されており、スイッチ１２１の基点部分（共通点）となる。端子ＳＷ２はＬＰＦ１３１を通らない接続経路と接続されており、端子ＳＷ４に“０”が入力された時に端子ＳＷ１とスイッチ１２１内部で接続される。
【００２２】
端子ＳＷ３はＬＰＦ１３１を通る接続経路に接続されており、端子ＳＷ４に“１”が入力された時に端子ＳＷ１とスイッチ１２１内部で接続される。端子ＳＷ４は制御部１１１と接続されており、スイッチ１２１内部の接続を制御する端子である。
【００２３】
尚、図１〜３において、分電盤回路部１４及び電源分配回路部１３は、当業者にとってよく知られており、また本発明とは直接関係しないので、その詳細な構成についての説明は省略する。また、本実施例では、マンマシンインタフェース１２をＰＣ（Ｐｅｒｓｏｎａｌ  Ｃｏｍｐｕｔｅｒ）等が接続できるようなインタフェースで置き換えてもよい。
【００２４】
図４は図１のデータパス制御回路１１の動作を示すフローチャートである。これら図１〜図４を参照して本発明の第１の実施例による分電盤１でのデータパス制御について説明する。尚、図４に示す処理はデータパス制御回路１１の制御部１１１がメモリ部１１２に格納されたプログラムを実行することで実現される。
【００２５】
まず、制御部１１１は予めメモリ部１１２に保存されている設定情報を読込む（図４ステップＳ１）。メモリ部１１２に保存されている設定情報とは、ユーザがマンマシンインタフェース１２を用いて設定したデータパス制御情報を示す。制御部１１１はメモリ部１１２から読込んだ設定情報を基にデータを通すか、遮断するかを判断する（図４ステップＳ２）。
【００２６】
制御部１１１はデータを通すと判断した場合、スイッチ１２１〜１２５へ制御信号＝“０”をそれらスイッチ１２１〜１２５の端子ＳＷ４に入力し（図４ステップＳ３）、スイッチ１２１〜１２５にて制御信号＝“０”に応答してその内部で端子ＳＷ１と端子ＳＷ２とを接続してデータをそのまま電源配線に通すようにする（図４ステップＳ４）。
【００２７】
一方、制御部１１１はデータを通さないと判断した場合、スイッチ１２１〜１２５へ制御信号＝“１”をそれらスイッチ１２１〜１２５の端子ＳＷ４に入力し（図４ステップＳ５）、スイッチ１２１〜１２５にて制御信号＝“１”に応答して端子ＳＷ１と端子ＳＷ３とを接続してデータをＬＰＦ１３１〜１３５にて遮断するようにする（図４ステップＳ６）。この時、スイッチ１２１〜１２５では、データを遮断するが、ＡＣ電源を通すものとする。
【００２８】
制御部１１１はスイッチ１２１〜１２５に対して、上記と同様の動作を、電源分配回路部１３で分配された電源毎に実行し、データを通す電源とデータを遮断する電源とに振り分ける。
【００２９】
このように、本実施例では、分電盤１内部でデータの制御をし、ネットワーク端末５１，５２が接続されない電源に対してデータを通さないことで、データ漏洩を防止することができる。
【００３０】
また、本実施例では、ネットワーク接続が不必要な電源配線にデータを通さないようにすることで、ネットワーク接続電源配線への干渉（ノイズ、反射等）を軽減することができる。
【実施例２】
【００３１】
図５は本発明の第２の実施例による分電盤の構成例を示すブロック図である。図５において、本発明の第２の実施例による分電盤１ａは、データパス制御回路１１及び電源分配回路部１３の代わりに、データ処理回路部１５を設けた以外は図１に示す本発明の第１の実施例による分電盤１と同様の構成となっており、本発明の第２の実施例によるＰＬＣホームネットワークは、本発明の第１の実施例と同様に、分電盤７の代わりに上記の構成の分電盤１ａを配設した以外は図７に示す本発明に関連するＰＬＣホームネットワーク１００と同様の構成となっている。
【００３２】
本発明の第２の実施例は、その基本的構成が上記の本発明の第１の実施例と同様であるが、電源へのデータパス制御方法について、本発明の第１の実施例の方法をさらに工夫している。
【００３３】
図６は図５のデータ処理回路部１５の構成例を示すブロック図である。図６において、データ処理回路部１５は、フィルタ部１５１，１７１〜１７５と、Ａ／Ｄ（アナログ／ディジタル）変換処理回路部１５２と、データ処理・制御回路部１５３と、メモリ部１５４と、Ｄ／Ａ（ディジタル／アナログ）変換処理回路部１６１〜１６５とから構成されている。
【００３４】
データ処理回路部１５は分電盤回路部１４から入力された電気信号（データ）を予め設定された情報に基づいてＰＬＣホームネットワークに属した電源に供給する役割をする。
【００３５】
Ａ／Ｄ変換処理回路部１５２は、電気信号（データ）をアナログ信号からディジタル信号に変換し、その変換した電気信号（データ）をデータ処理・制御回路部１５２に送信する。
【００３６】
データ処理・制御回路部１５３は、受信した電気信号（データ）を予めマンマシンインタフェース１２で設定された情報をメモリ部１５４から読出し、ＰＬＣホームネットワークに属する電源に送信する役割をする。
【００３７】
データ処理・制御回路部１５３から送信された電気信号（データ）は、Ｄ／Ａ変換処理回路部１６１〜１６５でディジタル信号からアナログ信号に変換され、電源と重畳されてＰＬＣホームネットワークに送出される。
【００３８】
フィルタ部１５１は１００Ｈｚ以上をデータ処理・制御回路部１５３側に通し、１００Ｈｚ未満をＡＣ１００Ｖ側に通すものであり、フィルタ部１７１〜１７５はデータ処理・制御回路部１５３側からの１００Ｈｚ以上を入力するとともに、ＡＣ１００Ｖ側からの１００Ｈｚ未満を入力し、それらを重畳してＰＬＣモデム（子機）４１，４２側に通すものである。
【００３９】
上記の処理は、分電盤回路部１４からＰＬＣモデム（子機）４１，４２への電気信号（データ）を送出する場合であり、ＰＬＣモデム（子機）４１，４２から分電盤回路部１４への電気信号（データ）の流れは逆のルートを通り、処理されるものとする。
【００４０】
このように、本実施例では、必要な電源のみに電気信号（データ）を送出することができるようにしているので、上記の本発明の第１の実施例と同様の効果を奏する。
【００４１】
本発明に関連するＰＬＣホームネットワークでは、ＰＬＣモデム（子機）４１，４２側に分配した全ての電源に電気信号（データ）が乗った状態である。これに対して、本発明では、分電盤１，１ａに、ネットワーク接続が不必要な電源に対して電気信号（データ）を通さない手段（データパス制御回路１１またはデータ処理回路部１５）を配設することで、ネットワーク端末５１，５２が接続される電源以外の電源配線へのデータ漏洩を防止することができ、ネットワーク端末５１，５２が接続される電源以外の電源配線における反射等によるノイズを軽減することができる。
【００４２】
尚、本発明では、マンマシンインタフェース１２を通してデータパス制御回路１１やデータ処理回路部１５のメモリ部１１２，１５４に、ネットワーク接続が必要な電源の情報またはネットワーク接続が不必要な電源の情報を予め登録しておくことで、データパス制御回路１１やデータ処理回路部１５においてネットワーク接続が必要な電源か、ネットワーク接続が不必要な電源かを判断することができる。
【図面の簡単な説明】
【００４３】
【図１】本発明の第１の実施例による分電盤の構成を示すブロック図である。
【図２】図１のデータパス制御回路の構成例を示すブロック図である。
【図３】図２のスイッチ及びＬＰＦの接続例を示すブロック図である。
【図４】図１のデータパス制御回路の動作を示すフローチャートである。
【図５】本発明の第２の実施例による分電盤の構成例を示すブロック図である。
【図６】図５のデータ処理回路部の構成例を示すブロック図である。
【図７】本発明に関連するＰＬＣホームネットワークの構成例を示すブロック図である。
【符号の説明】
【００４４】
１，１ａ  分電盤
３  屋外コンセント
６  ＰＬＣモデム（親機）
１１  データパス制御回路
１２  マンマシンインタフェース
１３  電源分配回路部
１４  分電盤回路部
１５  データ処理回路部
２１〜２４  屋内コンセント
４１，４２  ＰＬＣモデム（子機）
５１，５２  ネットワーク端末
１１１  制御部
１１２，１５４  メモリ部
１２１〜１２５  スイッチ
１３１〜１３５  ＬＰＦ
１５１，１７１〜１７５  フィルタ部
１５２  Ａ／Ｄ変換処理回路部
１５３  データ処理・制御回路部
１６１〜１６５  Ｄ／Ａ変換処理回路部
ＳＷ１〜ＳＷ４  端子
【図１】
2009004928.tif 000003
【図２】
2009004928.tif 000004
【図３】
2009004928.tif 000005
【図４】
2009004928.tif 000006
【図５】
2009004928.tif 000007
【図６】
2009004928.tif 000008
【図７】
2009004928.tif 000009